(57)【要約】【課題】  電子ペーパーＥＰを用いたドキュメント画像の閲覧環境において、電子データに基づいてドキュメント画像を電子ペーパーＥＰに表示保持させる処理に応答して、当該電子データを当該電子ペーパーと対応付けてサーバ６０に登録管理して、ドキュメント画像に基づいて元となる電子データの活用を可能ならしめる。【解決手段】  出力装置５０がドキュメント画像を電子ペーパーＥＰに表示保持させる処理の開始に応じて、当該ドキュメントデータが管理サーバ６０に提供され、管理サーバ６０から提供される当該ドキュメントデータの保存場所情報がドキュメント画像とともに電子ペーパーＥＰに保持される。これにより、ユーザは当該電子ペーパーＥＰをキーとして出力装置７０、８０に保存場所情報を読み取らせることで、ドキュメントデータにアクセスして表示出力することができる。【選択図】  図１
2005346599.tif 000002
【特許請求の範囲】
【請求項１】
電子データに基づいてドキュメント画像を表示記録媒体に表示保持させる処理を行う出力装置と、出力装置から取得した電子データを登録するとともに当該登録電子データの保存場所を特定する保存場所情報を当該出力装置に提供する管理サーバと、を備えたデータ管理システムであって、
前記出力装置は、電子データに基づいてドキュメント画像を表示記録媒体に表示保持させる処理の開始に応じて当該ドキュメント画像の電子データを管理サーバに提供する登録データ提供手段と、表示記録媒体に電子データに基づいてドキュメント画像を表示保持させるとともに当該ドキュメントの電子データの保存場所情報を外部から読み取り可能に保持させる処理を行う表示保持処理手段と、を有し、
前記管理サーバは、前記出力装置からドキュメント画像の電子データを取得したことに応じて当該電子データの保存場所情報を当該出力装置に提供する保存場所情報提供手段を有していることを特徴とするデータ管理システム。
【請求項２】
請求項１に記載のデータ管理システムにおいて、
前記管理サーバは、前記出力装置から取得したオリジナル形式の電子データに加えて、当該電子データから生成したアプリケーション依存性の低い汎用形式の電子データを登録することを特徴とするデータ管理システム。
【請求項３】
請求項１又は請求項２に記載のデータ管理システムにおいて、
前記管理サーバは、前記出力装置から取得したオリジナル形式の電子データに加えて、当該電子データから生成したサムネイル画像データを登録することを特徴とするデータ管理システム。
【請求項４】
電子データに基づいてドキュメント画像を表示記録媒体に表示保持させる処理に応じて当該電子データを登録する管理サーバと、管理サーバに登録された電子データに基づいてドキュメント画像を表示記録媒体に表示保持させる出力装置と、を備えたデータ管理システムであって、
前記出力装置は、表示記録媒体に保持されたドキュメント電子データの保存場所情報を読み取る読み取り手段と、読み取った保存場所情報に基づいて管理サーバから該当する電子データを取得するデータ取得手段と、当該取得した電子データに基づいて表示記録媒体にドキュメント画像を表示保持させる処理を行う表示保持処理手段と、を有することを特徴とするデータ管理システム。
【請求項５】
電子データに基づいてドキュメント画像を表示記録媒体に表示保持させる処理に応じて当該電子データを登録する管理サーバと、管理サーバに登録された電子データに基づいてドキュメント画像を画面に表示する出力装置と、を備えたデータ管理システムであって、
前記出力装置は、表示記録媒体に保持されたドキュメント電子データの保存場所情報を読み取る読み取り手段と、読み取った保存場所情報に基づいて管理サーバから該当する電子データを取得するデータ取得手段と、取得した電子データに基づいてドキュメント画像を画面に表示する表示処理手段と、を有することを特徴とするデータ管理システム。
【請求項６】
電子データに基づいてドキュメント画像を表示記録媒体に表示保持させる処理に応じて当該電子データを登録する管理サーバと、管理サーバに登録された電子データに基づいてドキュメント画像を画面に表示する出力装置と、を備えたデータ管理システムであって、
前記管理サーバは、前記オリジナル形式の電子データに加えて、当該電子データから生成したアプリケーション依存性の低い汎用形式の電子データを前記保存場所情報に対応付けて登録しており、
前記出力装置は、表示記録媒体に保持されたドキュメント電子データの保存場所情報を読み取る読み取り手段と、読み取った保存場所情報に基づいて管理サーバから該当する汎用形式の電子データを取得するデータ取得手段と、当該取得した汎用形式の電子データに基づいて表示記録媒体にドキュメント画像を表示保持させる処理を行う表示保持処理手段と、を有することを特徴とするデータ管理システム。
【請求項７】
電子データに基づいてドキュメント画像を表示記録媒体に表示保持させる処理に応じて当該電子データを登録する管理サーバと、管理サーバに登録された電子データに基づいてドキュメント画像を画面に表示する出力装置と、を備えたデータ管理システムであって、
前記管理サーバは、前記オリジナル形式の電子データに加えて、当該電子データから生成したアプリケーション依存性の低い汎用形式の電子データを前記保存場所情報に対応付けて登録しており、
前記出力装置は、表示記録媒体に保持されたドキュメント電子データの保存場所情報を読み取る読み取り手段と、読み取った保存場所情報に基づいて管理サーバから該当する汎用形式の電子データを取得するデータ取得手段と、取得した汎用形式の電子データに基づいてドキュメント画像を画面に表示する表示処理手段と、を有することを特徴とするデータ管理システム。
【請求項８】
電子データに基づいてドキュメント画像を表示記録媒体に表示保持させる処理に応じて当該電子データを登録する管理サーバと、管理サーバに登録された電子データに基づいてドキュメント画像を画面に表示する出力装置と、を備えたデータ管理システムであって、
前記出力装置は、表示記録媒体に保持されたドキュメント電子データの保存場所情報を読み取る読み取り手段と、処理可能なデータ形式を特定する情報を伴うデータ取得要求を読み取った保存場所情報に基づいて管理サーバへ送信して当該管理サーバから電子データを取得するデータ取得手段と、取得した電子データに基づいて表示記録媒体にドキュメント画像を表示保持させる処理を行う表示保持処理手段と、を有し、
前記管理サーバは、データ取得要求に伴って受信したデータ形式特定情報に応じて前記オリジナル形式の電子データを対応する形式に変換する形式変換手段と、当該形式変換した電子データを要求元の出力装置へ提供するデータ提供手段と、を有することを特徴とするデータ管理システム。
【請求項９】
電子データに基づいてドキュメント画像を表示記録媒体に表示保持させる処理に応じて当該電子データを登録する管理サーバと、管理サーバに登録された電子データに基づいてドキュメント画像を画面に表示する出力装置と、を備えたデータ管理システムであって、
前記出力装置は、表示記録媒体に保持されたドキュメント電子データの保存場所情報を読み取る読み取り手段と、処理可能なデータ形式を特定する情報を伴うデータ取得要求を読み取った保存場所情報に基づいて管理サーバへ送信して当該管理サーバから電子データを取得するデータ取得手段と、取得した電子データに基づいてドキュメント画像を画面に表示する表示処理手段と、を有し、
前記管理サーバは、データ取得要求に伴って受信したデータ形式特定情報に応じて前記オリジナル形式の電子データを対応する形式に変換する形式変換手段と、当該形式変換した電子データを要求元の出力装置へ提供するデータ提供手段と、を有することを特徴とするデータ管理システム。
【請求項１０】
請求項１乃至請求項９のいずれか１項に記載のデータ管理システムにおいて、
前記表示記録媒体は、ドキュメント画像を無電源状態で表示保持する表示部と、保存場所情報のデータを記憶するメモリと、メモリに対する保存場所情報データを入出力するために通信処理を行う通信部とを備えた電子ペーパーであることを特徴とするデータ管理システム。
【請求項１１】
請求項１乃至請求項９のいずれか１項に記載のデータ管理システムにおいて、
前記表示記録媒体は、ドキュメント画像とともに保存場所情報コードが印刷される紙媒体であることを特徴とするデータ管理システム。
【請求項１２】
請求項１乃至請求項９のいずれか１項に記載のデータ管理システムにおいて、
表示記録媒体は、ドキュメント画像が印刷される紙媒体であり、
当該紙媒体は、保存場所情報データを記憶するメモリと、メモリに対する保存場所情報データを入出力するために通信処理を行う通信部とを有することを特徴とするデータ管理システム。
【請求項１３】
電子データに基づいてドキュメント画像を表示記録媒体に表示保持させる処理を行う出力装置から、管理サーバが電子データを取得して登録するとともに当該登録電子データの保存場所を特定する保存場所情報を当該出力装置に提供するデータ管理方法であって、
出力装置が、電子データに基づいてドキュメント画像を表示記録媒体に表示保持させる処理の開始に応じて当該ドキュメント画像の電子データを管理サーバに提供し、
管理サーバが、出力装置からドキュメント画像の電子データを取得したことに応じて当該電子データの保存場所情報を当該出力装置に提供し、
前記出力装置が、表示記録媒体に電子データに基づいてドキュメント画像を表示保持させるとともに当該ドキュメントの電子データの保存場所情報を外部から読み取り可能に保持させることを特徴とするデータ管理方法。
【請求項１４】
電子データに基づいてドキュメント画像を表示記録媒体に表示保持させる処理に応じて当該電子データを保存場所情報に対応付けて管理サーバに登録し、
出力装置が、表示記録媒体に保持されたドキュメント電子データの保存場所情報を読み取り、読み取った保存場所情報に基づいて前記管理サーバから該当する電子データを取得し、当該表示記録媒体に取得した電子データに基づいてドキュメント画像を表示保持させる処理を行うことを特徴とするデータ管理方法。
【請求項１５】
電子データに基づいてドキュメント画像を表示記録媒体に表示保持させる処理に応じて当該電子データを保存場所情報に対応付けて管理サーバに登録し、
出力装置が、表示記録媒体に保持されたドキュメント電子データの保存場所情報を読み取り、読み取った保存場所情報に基づいて前記管理サーバから該当する電子データを取得し、当該取得した電子データに基づいてドキュメント画像を画面表示することを特徴とするデータ管理方法。
【発明の詳細な説明】
【技術分野】
【０００１】
本発明は、電子データに基づいてドキュメント画像を表示記録媒体に表示保持させる処理に応じて、当該ドキュメント画像の電子データを当該表示記録媒体を用いて再出力可能に管理サーバに登録する技術に関し、特に、ドキュメント電子データの保存場所情報等を電子データとして記憶するメモリ機能、メモリに記憶した保存場所情報データを無線送信する無線通信機能、光書き込み或いは電気的書き込みされたドキュメント画像を無電源状態で表示保持する表示部機能を備えた電子ペーパーを表示記録媒体として用いて好適な技術に関する。
【背景技術】
【０００２】
文書等のドキュメントはパーソナルコンピュータの文書処理機能により電子データ形式で作成され、プリンタ装置によりドキュメント電子データに基づくドキュメント画像を用紙に印刷して表示保持させ、これによってドキュメント内容の閲覧等に供されている。また、このように用紙に印刷されたドキュメント画像をスキャナにより画像読み取りして、得られたドキュメント画像データ（画像電子データ）に基づいて当該ドキュメント画像を他の用紙に印刷して表示させる複写処理も行われている。
【０００３】
また、昨今のネットワーク環境の整備により、インターネット上で提供されるコンテンツをドキュメントとして用紙に印刷して閲覧することも行われている。
また、音声を認識してテキストデータ化する音声認識技術により、音声による情報内容をテキスト化してドキュメントとして用紙に印刷して閲覧することも行われている。
このように、種々なメディアからなるドキュメントが電子データ化されており、このような電子データに基づいてドキュメント画像を用紙に表示保持させて利用することが行われている。
【０００４】
このような電子データ化されているドキュメントについて、近年では、紙媒体である用紙にとって代わることが可能なドキュメント閲覧のための媒体として、用紙の如く柔軟な薄型でドキュメント画像を表示部に書き換え可能で無電源状態で表示保持することができる電子ペーパーが開発されている。このような電子ペーパーによると、表示部が表示保持するドキュメント画像を書き換えて繰り返し使用することを可能ならしめ、また、当該ドキュメント画像に係る種々なデータをメモリに保持して外部と送受信することも可能ならしめる他、例えば、ドキュメント画像を表示保持した電子ペーパーを、机の上に複数並べて閲覧したり、手に持って閲覧したり、複数のユーザ間で回覧にて閲覧したり、重ねたり束ねたり他人に手渡ししたりといった人間の日常的な環境における自然な行動の中でストレスなく電子データで構成されたドキュメントを閲覧利用することを可能ならしめることができる。
【０００５】
電子ペーパーは、例えば、無電源状態でドキュメント画像を表示保持する表示部を有した装置であり、その表示部へのドキュメント画像の書き込み形式で大別すると、電子データに基づいて自己でドキュメント画像を表示部に書き込む機能を有する自己書き込み型電子ペーパーと、電子データに基づいて投影されたドキュメント画像を表示部に保持する光書き込み型電子ペーパーとがある。
このような電子ペーパーは、用紙と異なって表示部に表示保持したドキュメント画像を消去したり上書きすることが可能であり、表示保持する情報を更新したり、繰り返し使用することができるので紙資源の節約等の観点からも利用促進が望まれている。
【発明の開示】
【発明が解決しようとする課題】
【０００６】
電子ペーパーや用紙等のような表示記録媒体にドキュメント電子データに基づいてドキュメント画像を表示保持させることで、ドキュメント内容が閲覧し易くなり、また、当該ドキュメントを持ち運ぶ等の取り扱い性が向上する。
ここで、ドキュメント電子データは、プリンタ装置等で更に他の表示記録媒体にドキュメント画像を表示保持させることに利用でき、また、パーソナルコンピュータ等の表示画面を有する情報処理装置でドキュメントが号を表示出力させることに利用できる。
【０００７】
しかしながら、電子ペーパー等の表示記録媒体に表示保持されたドキュメント画像は元となるドキュメント電子データとの関連性が切り離されたものとなってしまう。このため、ドキュメント画像を閲覧したユーザが、当該ドキュメント画像を更に他の表示記録媒体に印刷しようとした場合、当該ドキュメント画像を情報処理装置で画面表示させようとした場合等において、元となるドキュメント電子データを利用するためには、ユーザがパーソナルコンピュータのメモリやデータサーバ等を探索操作して該当するドキュメント電子データを探し出さなければならず、表示保持されたドキュメント画像に基づいて元となる電子データを活用することが困難であった。
【０００８】
本発明は、上記従来の事情に鑑みなされたもので、電子ペーパーに代表される表示記録媒体を用いたドキュメント画像の閲覧環境において、電子データに基づいてドキュメント画像を表示記録媒体に表示保持させる処理に応答して、当該電子データを当該表示記録媒体と対応付けてサーバに登録管理することで、表示保持されたドキュメント画像に基づいて元となる電子データの活用を可能ならしめることを目的としている。
また、本発明は、このように登録管理されたドキュメント電子データを、ドキュメント画像を表示保持する表示記録媒体をキーとして利用することを可能ならしめることを目的としている。
【課題を解決するための手段】
【０００９】
本発明では、表示記録媒体として、紙媒体である用紙の他、例えば、ドキュメント画像を無電源状態で表示保持する表示部と、当該表示保持されたドキュメントの電子データの保存場所情報データを保持するメモリ等の記憶部と、メモリに保持した保存場所情報データを外部に送信出力する通信部とを有する電子ペーパーを用いることができ、要は、ドキュメント画像を無電源状態で表示保持し且つ保存場所情報を外部から読み取り可能に保持し得る媒体であればよい。
【００１０】
例えば、ドキュメント画像を印刷することにより表示保持する用紙であれば、保存場所情報を二次元コードとして印刷して外部から画像読み取り処理する、或いは、ＲＦＩＤタグを貼付して当該ＲＦＩＤタグに保存場所情報データを記録させて外部から無線読み取り処理するようにすればよい。なお、ドキュメント画像を表示部に表示保持する電子ペーパーにおいて、保存場所情報データを保持するメモリを内蔵メモリとする他、ＲＦＩＤタグをメモリとして用いて貼付するようにしてもよい。
【００１１】
上記電子データの保存場所情報としては、例えば、ドキュメント電子データを登録保持するサーバのアドレスと当該電子データの識別子（ＩＤ）との組とする他、各ドキュメント電子データに個別に付与したアドレス（ＵＲＬ等）であってもよい。なお、ドキュメント電子データは、管理サーバが保持する他、ネットワーク上の他のサーバが保持するようにしてもよく、この場合には、管理サーバが他のサーバ上のドキュメント電子データを個々に識別し得る保存場所情報を表示記録媒体に提供するようにすればよい。
【００１２】
本発明は、電子データに基づいてドキュメント画像を表示記録媒体に表示保持させる処理を行う出力装置と、出力装置から取得した電子データを登録するとともに当該登録電子データの保存場所を特定する保存場所情報を当該出力装置に提供する管理サーバと、を備えたデータ管理システムであって、出力装置は、電子データに基づいてドキュメント画像を表示記録媒体に表示保持させる処理の開始に応じて当該ドキュメント画像の電子データを管理サーバに提供する登録データ提供手段と、表示記録媒体に電子データに基づいてドキュメント画像を表示保持させるとともに当該ドキュメントの電子データの保存場所情報を外部から読み取り可能に保持させる処理を行う表示保持処理手段と、を有し、管理サーバは、出力装置からドキュメント画像の電子データを取得したことに応じて当該電子データの保存場所情報を当該出力装置に提供する保存場所情報提供手段を有している。
【００１３】
したがって、本発明によると、出力装置が、電子データに基づいてドキュメント画像を表示記録媒体に表示保持させる処理の開始に応じて、当該ドキュメント画像の電子データが管理サーバに提供され、管理サーバが当該ドキュメント電子データの保存場所情報を当該出力装置に提供する。そして、出力装置が、表示記録媒体に電子データに基づいてドキュメント画像を表示保持させるとともに当該ドキュメント電子データの保存場所情報を外部から読み取り可能に保持させる。
このような処理がなされることにより、ドキュメント画像を表示保持するとともに当該ドキュメントの電子データの保存場所情報を保持する表示記録媒体が得られ、ユーザは当該表示記録媒体をキーとして閲覧したドキュメントの電子データにアクセスすることができる。
【００１４】
ここで、本発明では、管理サーバが出力装置から取得したオリジナル形式の電子データに加えて、当該電子データから生成したアプリケーション依存性の低い汎用形式（例えば、ＪＰＧ、ＰＤＦ等）の電子データを登録するようにしてもよく、このように汎用形式のドキュメント電子データを保持管理することにより、後にドキュメント画像を表示記憶媒体に表示保持させたり或いは画面表示する情報処理装置がオリジナル形式の電子データに対応するアプリケーションを有していない場合でも、管理サーバに保持されたドキュメント電子データを利用することが可能となる。
また、本発明では、管理サーバが出力装置から取得したオリジナル形式の電子データに加えて、当該電子データから生成したサムネイル画像データを登録するようにしてもよく、このようにサムネイル画像データを保持管理することにより、例えばドキュメント画像が複数ページある場合に、情報処理装置が複数ページのドキュメント画像を表示記憶媒体に一覧表示保持させたり或いは画面に一覧表示することが可能となる。
【００１５】
上記のようにして管理サーバに登録されたドキュメント電子データを再利用する態様として、本発明では、管理サーバに登録された電子データに基づいてドキュメント画像を表示記録媒体に表示保持させる出力装置を備える態様と、管理サーバに登録された電子データに基づいてドキュメント画像を画面に表示する出力装置を備える態様とがある。
【００１６】
前者の態様では、出力装置は、読み取り手段が表示記録媒体に保持されたドキュメント電子データの保存場所情報を読み取り、データ取得手段が読み取った保存場所情報に基づいて管理サーバから該当する電子データを取得し、表示保持処理手段が当該取得した電子データに基づいて当該表示記録媒体にドキュメント画像を上書きして表示保持させる処理或いは他の表示記録媒体にドキュメント画像を表示保持させる処理を行う。
後者の態様では、出力装置は、読み取り手段が表示記録媒体に保持されたドキュメント電子データの保存場所情報を読み取り、データ取得手段が読み取った保存場所情報に基づいて管理サーバから該当する電子データを取得し、表示処理手段が取得した電子データに基づいてドキュメント画像を画面に表示する。
【００１７】
また、上記のようにして管理サーバに汎用形式のドキュメント電子データが登録される場合には、本発明の出力装置は、表示記録媒体から読み取った保存場所情報に基づいてデータ取得手段が管理サーバから該当する汎用形式の電子データを取得し、取得した汎用形式の電子データに基づいて、表示記録媒体にドキュメント画像を表示保持させる処理或いは画面にドキュメント画像を表示させる処理を行うことができる。
なお、上記のようにして管理サーバにサムネイル画像データが登録される場合にも同様である。
【００１８】
また、管理サーバがドキュメント電子データの形式変換処理をして、出力装置に処理可能な形式のドキュメント電子データを提供するようにしてもよい。すなわち、出力装置のデータ取得手段が、自己が処理可能なデータ形式を特定する情報を伴うデータ取得要求を保存場所情報に基づいて管理サーバへ送信して当該管理サーバから電子データを取得するようにする一方、管理サーバは、形式変換手段がデータ取得要求に伴って受信したデータ形式特定情報に応じて登録されているオリジナル形式の電子データを対応する形式に変換し、データ提供手段が形式変換した電子データを要求元の出力装置へ提供する。
【発明の効果】
【００１９】
本発明によると、パーソナルコンピュータ等の外部から入力される電子データに基づいて、出力装置が表示記録媒体にドキュメント画像を表示保持させる処理を行うことに応じて、当該ドキュメント電子データを管理サーバに登録するとともに当該電子データの保存場所情報を当該表示記録媒体に保持させるようにしたため、ドキュメント画像を表示保持する表示記録媒体と保存されている当該ドキュメントの電子データとを関連付けることができる。
そして、本発明によると、前記保存場所情報を保持する表示記録媒体をキーとして、当該表示記録媒体が表示保持しているドキュメントの電子データにアクセスすることができ、前記管理サーバーに登録されたドキュメント電子データを容易に再利用することができる。
【発明を実施するための最良の形態】
【００２０】
本発明を一実施例に基づいて具体的に説明する。
まず、本発明に利用される表示記録媒体の一例について、図６〜図１２を参照して説明する。
図示の表示記録媒体は電子ペーパーと称せられる媒体であり、ドキュメント画像の記録方式に違いにより大別して、図６〜図９に示す光書き込み型と、図１０〜図１２に示す自己書き込み型とがあり、いずれの形式にあってもいわゆる電子ペーパーと称せられるように紙の様に薄型の装置である。
【００２１】
図６（ａ）には光書き込み型電子ペーパーＥＰを正面視して示し、同図（ｂ）には当該光書き込み型電子ペーパーＥＰを側面視で示してある。なお、図示の電子ペーパーＥＰはドキュメント画像を表示保持する表示部２と電子データの処理を司る処理部３とを有しており、同図（ａ）には処理部３に内蔵されている諸機能部も表してある。
光書き込み型電子ペーパーＥＰは、例えばＡ４版の用紙のような大きさのフレキシブルな薄型であり、大部分の面積を占める表示部２の一片に処理部３が設けられている。なお、表示部２の大きさは任意であり、タグやカードとして用いることもでき、用途に応じた大きさのものとされる。
【００２２】
処理部３には、後述するように表示部２を駆動する電圧を印加するための電極４、外部と無線通信するための無線部５、電子データを読み書き自在に保持するメモリ６、無線部５やメモリ６の駆動電力を供給するバッテリ７が設けられている。
光書き込み型電子ペーパーＥＰは、外部の無線通信機能を有する装置（後述する登録用の出力装置、画面表示用や表示保持用の出力装置）と無線部５で無線通信することによりドキュメントデータの保存場所情報等の電子データを送受信し、また、これら電子データをメモリ６に保持することができる。
【００２３】
例えば、光書き込み型電子ペーパーＥＰは、図７に示すようにドキュメント電子データに基づいて液晶パネル２５にドキュメント画像を表示し、電極４に外部の電源から電圧を印加しながら光書き込み型電子ペーパーＥＰを液晶パネル２５に重ねて光を照射することにより、液晶パネル２５に表示させたドキュメント画像を表示部２に転写して表示保持させることができる。
すなわち、光書き込み型電子ペーパーＥＰは電極４に電圧を印加することで投影された画像情報を表示部２に転写し、電極４に印加した電圧を除去した後も当該画像情報を表示状態で保持し続ける機能を有している。
【００２４】
光書き込み型電子ペーパーＥＰは、表示部２の断面構造を表す図９に示すように、複写機に利用されている有機光導電性材料の層（有機光導電層）２０と液晶表示材料の層（マイクロカプセル化したコレステリック液晶層）２１とを組み合わせ、これら層を表裏一対の透明電極２２で挟み、この積層体を表裏一対の透明な基材フィルム２３で挟んだ構造となっている。なお、この構成では、コレステリック液晶層２１が光を反射する白表示と、光が液晶層２１を透過しコレステリック液晶層２１と有機光導電層２０との間に設けられた黒色層２４で吸収される黒表示のモノクロ画像表示が可能である。さらにコレステリック液晶には螺旋ピッチに応じたカラー光を干渉反射するという特性があるので、コレステリック液晶層２１を螺旋ピッチの異なる液晶を積層した構成にすることにより、簡単な構造でカラー表示を実現することも可能である。
【００２５】
そして、光書き込み型電子ペーパーＥＰは、表示部２の動作原理を表す図８に示すように、例えば画像書込み用の調光素子パネル（発光パネル）２５に転写する画像を表示して表示部２に投影し、電極４に電圧を印加すると、光の強弱を瞬時に反射濃度に変換して当該投影画像を保持する。そして、電極４に消去電圧を印加することにより表示部２に保持された画像情報を消去することができ、光書き込み型電子ペーパーＥＰは書き込みと消去を繰り返して幾度も再使用することができる。なお、光書き込み型電子ペーパーＥＰはこのような消去処理を行わずに、上記のように電極４に電圧を印加して新たな画像を投影することにより、表示部２に保持されている画像情報を上書きすることもでき、このような上書き処理によっても幾度も再使用することができる。
【００２６】
したがって、光書き込み型電子ペーパーＥＰは、紙のように薄く柔軟である性質に加えて、画像の投影により転写された画像情報を無電源保持する性質があるので、あたかもプリンタや複写機に使用する紙の如く用いることができ、しかも、繰り返し再使用することができる表示記録媒体である。更に、本例の光書き込み型電子ペーパーＥＰは、無線通信機能及びメモリ機能を備えているので、後述するように、メモリ６に記録される電子データ（ドキュメントデータの保存場所情報等）を非接触で送受信することができる。
なお、後述する登録用の出力装置、及び、画面表示用や表示保持用の出力装置は、表示記録媒体として光書き込み型電子ペーパーＥＰを用いる場合には、上記のように電極４に電圧を印加してドキュメント画像を表示部２に投影する機能や、メモリ６に記憶する保存場所情報を送信や受信する機能等を有している。
【００２７】
図１０（ａ）には自己書き込み型電子ペーパーＥＰを正面視して示し、同図（ｂ）には当該自己書き込み型電子ペーパーＥＰを側面視で示してある。図示の電子ペーパーＥＰは情報画像を表示保持する表示部１２と電子データの処理を司る処理部１３とを有しており、同図（ａ）には処理部１３に内蔵されている諸機能部も表してある。
自己書き込み型電子ペーパーＥＰは、光書き込み型電子ペーパーＥＰと同様に、例えばＡ４版の用紙のような大きさのフレキシブルな薄型表示装置であり、大部分の面積を占める表示部１２の一片に処理部１３が設けられている。なお、光書き込み型電子ペーパーＥＰと同様に、表示部１２の大きさは用途に応じた大きさのものとされる。
【００２８】
処理部１３には、表示部１２を駆動するドライバ１４、外部と無線通信するための無線部１５、電子データを読み書き自在に保持するメモリ１６、ドライバ１４や無線部１５やメモリ１６の駆動電力を供給するバッテリ１７、ドライバ１４による画像表示に対する操作入力を受け付けるボタン等の操作部１８が設けられている。
自己書き込み型電子ペーパーＥＰは、外部の無線通信機能を有する装置（後述する登録用の出力装置、画面表示用や表示保持用の出力装置）と無線部１５で無線通信するこにより保存場所情報やドキュメントデータ等の電子データを送受信し、また、これら電子データをメモリ１６に保持することができる。
【００２９】
更に、自己書き込み型電子ペーパーＥＰは、光書き込み型電子ペーパーＥＰとは異なって、メモリ１６に保持したドキュメント電子データに基づいてドライバ１４が表示部１２にドキュメント画像を表示し、また、操作部１８からの操作入力に応じて表示するドキュメント画像を切り換え変更することもでき、ドライバ１４の駆動電力を除去しても表示部１２にドキュメント画像を表示状態で保持し続ける機能を有している。
自己書き込み型電子ペーパーＥＰは、表示部１２の断面構造を表す図１２に示すように、複写機にトナーとして利用されている微細な着色粒子（図示の例では、白色粒子３１と黒色粒子３２）を少なくとも表面側が透明な表裏一対の電極３３間に封入し、これを少なくとも表面側が透明な表裏一対のフィルム基板３４で挟んだ構造となっている。着色粒子３１、３２が自由に移動できるように電極層３３間は空気層となっており、また、マトリックス状の電極層３３には着色粒子３１、３２との接触を防止する絶縁層３５が設けられている。なお、カラーフィルターを用いることにより、簡単な構造でカラー表示を実現することも可能である。
【００３０】
そして、自己書き込み型電子ペーパーＥＰは、表示部１２の動作原理を表す図１１に示すように、電極３３に電圧を印加していない状態（但し、電極３３は前回の駆動時の極性に帯電している）では、負（マイナス）に帯電した白色粒子３１は裏面側に溜まる一方、正（プラス）に帯電した黒色粒子３２は表面側に溜まり、表示部１２を表面側から目視すると表示部１２は黒色な状態となる。そして、ドキュメントデータに基づいてドライバ１４が動作して表示する画像情報に応じたマトリックスの所要部の電極極性を反転させると、白色粒子３１と黒色粒子３２との位置関係が入れ替わって、表示部１２に白色粒子３１と黒色粒子３２とのコントラストによるドキュメント画像が表示される。なお、異なるドキュメントデータに基づいてドライバ１４を動作させることにより、白色粒子３１と黒色粒子３２とのコントラストにより表示部１２に表示されるドキュメント画像を切り換えることができ、幾度も再使用することができる。
【００３１】
したがって、自己書き込み型電子ペーパーＥＰは、紙のように薄く柔軟である性質に加えて、表示部１２に表示した画像情報を無電源保持する性質があるので、あたかも紙の如く用いることができる表示記録媒体である。更に、本例の自己書き込み型電子ペーパーＥＰは、無線通信機能及びメモリ機能を備えているので、後述するように、メモリ１６に記録される電子データ（ドキュメントデータの保存場所情報等）を非接触で送受信することができる。
なお、後述する登録用の出力装置、及び、画面表示用や表示保持用の出力装置は、表示記録媒体として自己書き込み型電子ペーパーＥＰを用いる場合には、上記のように表示部１２に表示保持させるドキュメント画像の電子データを送信する機能や、メモリ１６に記憶する保存場所情報を送信や受信する機能等を有している。
【００３２】
ここで、光書き込み型や自己書き込み型等の形式を問わず、図１３に示すように、無線部５（１５）やメモリ６（１６）等といった無線通信機能やメモリ機能部を電子ペーパーの表示部２（１２）とは別の無線ＩＣタグ（ＲＦＩＤ）４１として構成し、当該ＲＦＩＤタグ４１を電子ペーパーＥＰに取り付けることにより上記と同様な構成とするようにしてもよい。なお、無線ＩＣタグとした場合等において、バッテリはタグリーダーからの起電力を保持するコンデンサとするようにしてもよい。
また、本発明に係る表示記録媒体の記録部は、表示部２（１２）に表示保持しているドキュメントデータの保存場所情報を保持することが主要な機能であるため、ＲＦＩＤ４１に代えて、当該保存場所情報を二次元コード化したバーコード４２を後述する登録用の出力装置により電子ペーパーＥＰに印刷或いは貼付し、また、後述する画面表示用や表示保持用の出力装置によりバーコード４２を画像読み取りするようにしてもよい。
【００３３】
また、本発明は、自己書き込み型電子ペーパーや光書き込み型電子ペーパーといった形式以外の電子ペーパーも勿論適用することができ、例えば、外部の書き換え装置に装填して表示部に自己書き込み型のように電子的にドキュメント画像を書き込む形式であってもよい。すなわち、上記の自己書き込み型電子ペーパーは外部の画像書き込み装置を要しない形式の電子ペーパーの一例であり、光書き込み型電子ペーパーは外部の画像書き込み装置を要する形式の電子ペーパーの一例であるとも言える。
また、電子ペーパーＥＰの表示部２（１２）としては、強誘電液晶に代表されるメモリー性のある液晶や、帯電された粒子を移動させて表示を切り替える電気泳動方式、帯電された粒子を回転させて表示を切り替える粒子回転方式、磁気により粒子を移動させて表示を切り替える磁気泳動方式、小型バッテリー駆動の薄型の液晶やＥＬ素子を用いてもよい。
【００３４】
また、本発明は、上記のような電子ペーパー以外に紙媒体である用紙Ｐも勿論適用することができ、用紙Ｐをドキュメント画像の表示記録媒体に用いる場合には、後述する登録用の出力装置や表示保持用の出力装置は、公知のプリンタや複写機等のように電子データに基づいてドキュメント画像を用紙Ｐに印刷する機能を有していればよい。なお、ドキュメント画像の元となるドキュメントデータの保存場所情報を保持する態様としては、例えば図１４に示すように、登録用の出力装置では上記のように保存場所情報を保持するＲＦＩＤタグ４１や二次元コード４２を用紙Ｐに貼付或いは印刷し、表示保持用の出力装置ではＲＦＩＤタグ４１や二次元コード４２から保存場所情報を読み取るようにすればよい。
【００３５】
また、本発明において、後述する画面表示用の出力装置は、パーソナルコンピュータ等のようにドキュメント画像を画面やスクリーン等に表示出力する情報処理装置が用いられるが、例えば図１５に示すような、無線通信機能４５、メモリ機能４６、ドキュメント画像の表示画面４７等を有し、無線受信したドキュメントデータに基づいて画面４７にドキュメント画像を表示出力する携帯電話機やＰＤＡ等の通信端末４８を用いることができる。
【００３６】
図１には、本発明の一例に係るデータ管理システムの構成を示してある。なお、表示記録媒体として電子ペーパーＥＰを用いた例を説明するが、上記のような用紙Ｐを用いることもできる。
本例のデータ管理システムは、外部のパーソナルコンピュータ等から入力される電子データに基づいてドキュメント画像を電子ペーパーＥＰに表示保持させて出力する登録用の出力装置５０、登録用の出力装置５０から取得するドキュメント電子データの登録処理を行う管理サーバ６０、管理サーバ６０から取得するドキュメント電子データに基づいて他の電子ペーパーＥＰ´にドキュメント画像を表示保持させて出力する表示保持用の出力装置７０、管理サーバ６０から取得するドキュメント電子データに基づいてドキュメント画像を画面表示して出力する画面表示用の出力装置８０を有している。
【００３７】
登録用の出力装置５０は、専用の機能装置やコンピュータ資源でプログラムを実行することにより構成される表示保持処理手段５１とデータ提供手段５２とを有している。
登録用出力装置５０は、外部からドキュメントデータが入力されると電子ペーパーＥＰにドキュメント画像を表示保持させる処理を開始するが、データ提供手段５２が当該ドキュメントデータを管理サーバ６０に提供し、これに応じて管理サーバ６０から提供される当該ドキュメントデータの保存場所情報を取得して、表示保持処理手段５１が入力されたドキュメントデータに基づくドキュメント画像を電子ペーパーＥＰの表示部に表示保持させるとともに取得した保存場所情報（本例ではＵＲＬ）を当該電子ペーパーＥＰに上記のようにして外部読み取り可能に保持させる。
【００３８】
なお、図示は省略してあるが、登録用出力装置５０は管理サーバ６０と通信を行うための通信機能を有し、また、表示保持処理手段５１は電子ペーパーＥＰにドキュメント画像を表示保持させる機能、及び、電子ペーパーＥＰに保存場所情報データを送信する又は保存場所情報コードを付加する機能を有している。
【００３９】
管理サーバ６０は、専用の機能装置やコンピュータ資源でプログラムを実行することにより構成される保存情報提供手段６１と登録手段６２とデータベースメモリ６３とを有している。
管理サーバ６０は、登録用出力装置５０からドキュメント電子データを取得すると登録処理を開始するが、登録手段６２が当該取得したドキュメントデータをデータベースメモリ６３に記憶させて登録し、当該ドキュメントデータの記憶場所（すなわち、保存場所）を示す情報としてのＵＲＬを保存情報提供手段６１が登録用出力装置５０へ提供する。
【００４０】
すなわち、データベースメモリ６３には、図２に示すように、登録された各ドキュメントデータをドキュメントＩＤ（本例ではＵＲＬ）を付与して識別管理しており、当該ＵＲＬ（すなわち、保存場所情報）によって登録された各ドキュメントデータを特定できるようになっている。
なお、本例では、登録用出力装置５０から取得したオリジナル形式のドキュメントデータに加えて、当該オリジナルデータを変換することにより生成した汎用形式のドキュメントデータとサムネイル画像データも登録される。このため、登録手段６２は変換手段６４を有しており、変換手段６４がオリジナル形式のドキュメントデータを変換処理して、アプリケーション依存性の低い汎用形式のドキュメントデータと、ドキュメント画像の縮小版となるサムネイル画像データを生成する。
【００４１】
なお、本例ではデータベース６３にドキュメントデータの実体を記録するが、登録手段６２が、ドキュメントデータの実体はネットワーク上の他のデータサーバに保存し、管理サーバ６０のデータベースにはドキュメントデータのＩＤと当該ドキュメントデータの実体を保存したデータサーバのアドレスを記録するようにしてもよい。
また、図示は省略してあるが、管理サーバ６０は登録用出力装置５０及び他の出力装置７０、８０と通信を行うための通信機能を有し、ドキュメントデータや保存場所情報の通信を行う。
【００４２】
表示保持用の出力装置７０は、専用の機能装置やコンピュータ資源でプログラムを実行することにより構成される読み取り手段７１とデータ取得手段７２と表示保持処理手段７３とを有している。
表示保持用出力装置７０は、既に保存場所情報を保持している電子ペーパーＥＰから読み取り手段７１で当該保存場所情報を読み取ることで電子ペーパーＥＰ´にドキュメント画像を表示保持させる処理を開始する。すなわち、ユーザ操作等に応じて、読み取り手段７１が電子ペーパーＥＰから保存場所情報（ＵＲＬ）を読み取り、データ取得手段７２が当該読み取ったＵＲＬを含むデータ取得要求を管理サーバ６０に送信し、これに応じて管理サーバ６０から提供される該当するドキュメントデータ及びその保存場所情報を取得して、表示保持処理手段７３が取得されたドキュメントデータに基づくドキュメント画像を電子ペーパーＥＰ´の表示部に表示保持させるとともに取得した保存場所情報（ＵＲＬ）を当該電子ペーパーＥＰ´に外部読み取り可能に保持させる。
【００４３】
なお、図示は省略してあるが、表示保持用出力装置７０は管理サーバ６０と通信を行うための通信機能を有し、また、表示保持処理手段７３は電子ペーパーＥＰ´にドキュメント画像を表示保持させる機能、及び、電子ペーパーＥＰ´に保存場所情報データを送信する又は保存場所情報コードを付加する機能を有している。
【００４４】
ここで、本例のようにオリジナル形式の他に汎用形式やサムネイル形式のドキュメントデータも登録される場合には、管理サーバ６０が上記データ取得要求に応答して表示保持用出力装置７０へ提供するドキュメントデータをこれらいずれかの形式或いはこれら複数の形式のデータセットとするようにしてもよい。例えば、データ取得要求に応答して汎用形式のドキュメントデータを提供するように設定すれば、表示保持用出力装置７０がオリジナル形式のデータに対応するアプリケーションを有していない場合でも提供されたドキュメントデータに基づいて電子ペーパーＥＰ´にドキュメント画像を表示保持させる処理を行うことができる。また、例えば、データ取得要求に応答してサムネイル画像データを提供するように設定すれば、当該ドキュメントデータが複数のページを含む場合でも、表示保持用出力装置７０が提供されたサムネイル画像データに基づいて電子ペーパーＥＰ´の表示部に複数ページ分のドキュメント画像をサムネイル一覧で表示保持させる処理を行うことができる。
【００４５】
また、本例では、管理サーバ６０に備えられた変換手段６４を利用して、出力装置７０に適合する形式のドキュメントデータを提供するようにしてもよい。すなわち、出力装置７０が自機で処理可能なデータ形式を管理し、当該処理可能なデータ形式の特定情報を含めたデータ取得要求をデータ取得手段７２が管理サーバ６０へ送信し、変換手段６４がオリジナル形式のドキュメントデータを当該要求された形式に変換し、これを出力装置７０に提供するようにする。これによって、多数の出力装置７０が存在する場合、いずれの出力装置を用いても最適な形式により鮮明なドキュメント画像を表示出力することができる。
【００４６】
上記のようにしてドキュメント画像を電子ペーパーＥＰ´に表示保持させることで、電子データに基づいたドキュメントの複写による閲覧が容易となるが、当該新たに出力されたにもそのドキュメントデータの保存場所情報（ＵＲＬ）が外部読み取り可能に保持されるため、当該電子ペーパーＥＰ´を用いて上記と同様にドキュメントデータに基づいて更に他の表示記録媒体にドキュメント画像を表示保持させることができる。すなわち、当該電子ペーパーをキーとしてドキュメント電子データにアクセスしてドキュメント画像を表示出力することができ、また、管理サーバ６０にアクセス可能な出力装置であればいずれの出力装置を用いても同様なドキュメント画像出力を行うことができる。
【００４７】
画面表示用の出力装置８０は、専用の機能装置やコンピュータ資源でプログラムを実行することにより構成される読み取り手段８１とデータ取得手段８２と表示処理手段８３とを有しており、表示処理手段８３が画面８４にドキュメント画像を表示出力する。
画面表示用出力装置８０は、既に保存場所情報を保持している電子ペーパーＥＰから読み取り手段８１で当該保存場所情報を読み取ることで画面８４にドキュメント画像を表示させる処理を開始する。すなわち、ユーザ操作等に応じて、読み取り手段８１が電子ペーパーＥＰから保存場所情報（ＵＲＬ）を読み取り、データ取得手段８２が当該読み取ったＵＲＬを含むデータ取得要求を管理サーバ６０に送信し、これに応じて管理サーバ６０から提供される該当するドキュメントデータを取得して、表示処理手段８３が取得されたドキュメントデータに基づくドキュメント画像を画面８４に表示させる。
【００４８】
なお、画面表示用出力装置８０として例えば図１５に示すようなメモリ機能４６を有する携帯可能な装置を用いる場合には、上記と同様に、管理サーバ６０が保存場所情報も画面表示用出力装置８０に提供し、画面表示用出力装置８０が保存場所情報を外部読み取り可能に保持するようにしてもよく、このようにすれば、画面表示用出力装置８０自体を上記電子ペーパーのようにドキュメントデータにアクセスするためのキーとして用いることができる。
また、図示は省略してあるが、画面表示用出力装置８０は管理サーバ６０と通信を行うための通信機能を有している。
【００４９】
ここで、画面表示用出力装置８０においても、上記表示保持用出力装置７０と同様に、管理サーバ６０が上記データ取得要求に応答して画面表示用出力装置８０へ提供するドキュメントデータをオリジナル形式、汎用形式、サムネイル形式、変換形式のいずれかの形式或いはこれら複数の形式のデータセットとするようにしてもよく、これによって上記と同様な効果を得ることができる。例えば、汎用形式のドキュメントデータを提供するように設定すれば、画面表示用出力装置８０がオリジナル形式のデータに対応するアプリケーションを有していない場合でも提供されたドキュメントデータに基づいて画面８４にドキュメント画像を表示保持させる処理を行うことができ、サムネイル画像データを提供するように設定すれば、当該ドキュメントデータが複数のページを含む場合でも、画面表示用出力装置８０が提供されたサムネイル画像データに基づいて画面８４に複数ページ分のドキュメント画像をサムネイル一覧で表示保持させる処理を行うことができる。
【００５０】
また、出力装置８０が自機で処理可能なデータ形式を管理し、当該処理可能なデータ形式の特定情報を含めたデータ取得要求をデータ取得手段８２が管理サーバ６０へ送信し、変換手段６４がオリジナル形式のドキュメントデータを当該要求された形式に変換し、これを出力装置８０に提供するようにすれば、多数の出力装置８０が存在する場合、いずれの出力装置を用いても最適な形式により鮮明なドキュメント画像を画面８４に表示出力することができる。
【００５１】
図３には、本発明の一実施例に係るデータ管理システムの構成をより具体的に示してある。
図示のシステムでは、登録用の出力装置５０として複写機を備えており、複写機５０が、プラテン５３上に置かれたドキュメント紙からドキュメント画像を画像読み取りして電子画像データ形式のドキュメントデータを得て、当該取得したドキュメントデータを管理サーバ６０に登録するとともに、電子ペーパＥＰ（或いは、用紙）に当該取得したドキュメントデータに基づくドキュメント画像を表示保持させるとともにドキュメントデータの保存場所情報を保持させて出力する。
【００５２】
すなわち、ユーザが複写機５０を用いてドキュメント紙の複写操作を行うと、複写機５０が管理サーバ６０に読み取ったドキュメントデータを送信する。そして、管理サーバ５０が受信したドキュメントデータを登録し、当該ドキュメントデータの保存場所情報を複写機５０に送信する。複写機５０では、電子ペーパＥＰや用紙に読み取ったドキュメントデータに基づいてドキュメント画像を表示させるとともに取得した保存場所情報を保持させて出力する。
【００５３】
図４には、本発明の一実施例に係るデータ管理システムの構成をより具体的に示してある。
図示のシステムでは、登録用の出力装置５０としてプリンタを備えており、プリンタ５０が、クライアントであるパーソナルコンピュータ９０から入力されたドキュメントデータを管理サーバ６０に登録するとともに、用紙Ｐ（或いは、電子ペーパ）に当該入力されたドキュメントデータに基づくドキュメント画像を表示保持させるとともにドキュメントデータの保存場所情報を保持させて出力する。
【００５４】
すなわち、ユーザがプリンタ５０を用いてドキュメント紙のプリント操作を行うと、プリンタ５０が管理サーバ６０に入力されたドキュメントデータを送信する。そして、管理サーバ５０が受信したドキュメントデータを登録し、当該ドキュメントデータの保存場所情報をプリンタ５０に送信する。プリンタ５０では、用紙Ｐや電子ペーパーに入力されたドキュメントデータに基づいてドキュメント画像を表示させるとともに取得した保存場所情報を保持させて出力する。
【００５５】
図５には、本発明の一実施例に係るデータ管理システムの表示出力構成をより具体的に示してある。
図示のシステムでは、表示保持用の出力装置７０として複写機７０ａとプリンタ７０ｂとを備え、画面表示用の出力装置８０としてパーソナルコンピュータ８０ａと携帯電話機８０ｂとディスプレイ装置８０ｃとプロジェクタ８０ｄとを備えている。これらいずれの装置も電子ペーパーＥＰや用紙Ｐから保存場所情報を読み取るための通信機能や画像読み取り機能を有しており、また、読み取った保存場所情報を管理サーバ６０に送信して該当するドキュメントデータを受信する機能を有している。
【００５６】
したがって、ドキュメント画像とともにそのデータの保存場所情報を保持した表示記録媒体（例えば、電子ペーパーＥＰ）を、ユーザが出力装置７０ａ、７０ｂ、８０ａ、８０ｂ、８０ｃ、８０ｄのいずれかに読み取らせると、保存場所情報を読み取った出力装置が管理サーバ６０にアクセスして該当するドキュメントデータを取得して、当該ドキュメントデータに基づいて表示出力処理を行う。すなわち、複写機７０ａやプリンタ７０ｂであればドキュメントデータに基づいて新たな表示記録媒体にドキュメント画像を表示保持させて出力し、パーソナルコンピュータ８０ａや携帯電話機８０ｂやディスプレイ装置８０ｃであればドキュメントデータに基づいてドキュメント画像を画面に表示出力し、プロジェクタ８０ｄであればドキュメントデータに基づいてドキュメント画像をスクリーンに投影して表示出力する。
【００５７】
すなわち、ドキュメント画像とともにそのデータの保存場所情報を保持した表示記録媒体を出力装置７０、８０に読み取らせることにより、多彩の出力装置を用いてドキュメント画像を閲覧することができる。
したがって、ドキュメント画像とともにそのデータの保存場所情報を保持した表示記録媒体をキーとして用いることにより、所望の出力形式を選択したり、また、近くに設置されている出力装置を利用した出力をする等といったように、ドキュメントの閲覧に自由度を実現することができる。
【図面の簡単な説明】
【００５８】
【図１】本発明の一例に係るデータ管理システムの構成を示す図である。
【図２】本発明の一例に係るドキュメントデータの登録構成を説明する図である。
【図３】本発明の一例に係るデータ管理システムのより具体的な構成を示す図である。
【図４】本発明の一例に係るデータ管理システムのより具体的な構成を示す図である。
【図５】本発明の一例に係るデータ管理システムのより具体的な構成を示す図である。
【図６】光書き込み型電子ペーパーを示す図である。
【図７】光書き込み型電子ペーパーの使用方法を説明する図である。
【図８】光書き込み型電子ペーパーの動作原理を説明する図である。
【図９】光書き込み型電子ペーパーの構造を説明する図である。
【図１０】自己書き込み型電子ペーパーを示す図である。
【図１１】自己書き込み型電子ペーパーの動作原理を説明する図である。
【図１２】自己書き込み型電子ペーパーの構造を説明する図である。
【図１３】電子ペーパーの他の例を示す図である。
【図１４】紙媒体の一例を示す図である。
【図１５】画面表示用出力装置の一例を示す図である。
【符号の説明】
【００５９】
ＥＰ、ＥＰ´：表示記録媒体（電子ペーパー）、  Ｐ：表示記録媒体（用紙）、
２：表示部、  ３：処理部、
４：電極、  ５：無線部、
６：メモリ、  ７：バッテリ、
１２：表示部、  １３：処理部、
１４：ドライバ、  １５：無線部、
１６：メモリ、  １７：バッテリ、
５０：登録用の出力装置、  ５１：表示保持処理手段、
５２：データ提供手段、  ６０：管理サーバ、
６１：保存情報提供手段、  ６２：登録手段、
６３：データベース、  ６４：変換手段、
７０：表示保持用の出力装置、  ７１：読み取り手段、
７２：データ取得手段、  ７３：表示保持処理手段、
８０：画面表示用の出力装置、  ８１：読み取り手段、
８２：データ取得手段、  ８３：表示処理手段、  ８４：画面、
【図１】
2005346599.tif 000003
【図２】
2005346599.tif 000004
【図３】
2005346599.tif 000005
【図４】
2005346599.tif 000006
【図５】
2005346599.tif 000007
【図６】
2005346599.tif 000008
【図７】
2005346599.tif 000009
【図８】
2005346599.tif 000010
【図９】
2005346599.tif 000011
【図１０】
2005346599.tif 000012
【図１１】
2005346599.tif 000013
【図１２】
2005346599.tif 000014
【図１３】
2005346599.tif 000015
【図１４】
2005346599.tif 000016
【図１５】
2005346599.tif 000017